(57)【要約】      （修正有）【課題】人の腰の高さにバンドリールを持ち上げると共に、片手で移動し位置決めし、しかもメインテナンスや交換を迅速に行うことができるバンドリール持ち上げ装置を提供する。【解決手段】機体１０と、可動機構２０と、推力生成部３０とを含む。可動機構２０は、回転枢軸２１を介して機体１０の第一枢支部１２に枢支されると共に、バンド２２２を梱回したバンドリール２２１を回動する。推力生成部３０は、推力ロッド３１と本体３２とを具備し、機体１０と可動機構２０の間に配設される。可動機構２０が収容位置Ｐ１、臨界位置、及び持ち上げ位置にそれぞれ切り替えるとき、推力ロッド３１が可動機構２０を機体１０内外に押動するようにそれぞれの正、零、負のモーメントを生成することにより、可動機構２０を機体１０内に一時的に位置決めしたり、機体１０外へ移動したり、人の腰の高さの近傍に持ち上げたりすることができる。【選択図】図１
0003150998.tif 000002
【実用新案登録請求の範囲】
【請求項１】
機体と、可動機構と、推力生成部とを含むバンドリール持ち上げ装置であって、
前記機体は、中空収容室と、開口部と、第一枢支部と、第二枢支部とを具備し、
前記可動機構は、回転枢軸と、第一アームと、第二アームとを具備し、前記第一枢支部には、前記回転枢軸を所定角度で回転可能に枢設し、前記第一アームは第一長さを有すると共に、バンドを収容するためのバンドリールを回転することができ、前記第二アームはコントロール・エンドと第二長さを有すると共に、前記第二長さを前記第一長さより小さくし、
前記推力生成部は、推力ロッドと本体とを具備し、前記コントロール・エンドには、前記推力ロッドを連結し、前記第二枢支部には、前記本体を枢設する一方、
前記可動機構は収容位置、臨界位置、持ち上げ位置を有し、前記収容位置にあるとき、前記推力ロッドが所定の正方向にモーメントを発生することにより、前記第二アームを前記機体の内部へ押動すると共に、前記バンドリールを前記中空収容室内に進入させ、前記臨界位置にあるとき、前記推力ロッドが前記第二アームに対してモーメントを発生せず、前記持ち上げ位置にあるとき、前記推力ロッドが所定の負方向にモーメントを発生することにより、前記第二アームを前記機体の外部へ押動すると共に、前記バンドリールを前記中空収容室から露出させて人の腰の高さに持ち上げることを特徴とする、バンドリール持ち上げ装置。
【請求項２】
前記第一枢支部は、一対の枢支耳、又は一対の軸受けにより構成されることを特徴とする、請求項１に記載のバンドリール持ち上げ装置。
【請求項３】
前記第一アームは、前記回転枢軸から延出されて第一長さを有し、前記第二アームは、前記コントロール・エンドが前記回転枢軸から延出されて第二長さを有し、前記ハンドルは前記第一アームから延出されることを特徴とする、請求項１に記載のバンドリール持ち上げ装置。
【請求項４】
前記第一アームは、前記回転枢軸から延出されて第一長さを有し、前記第二アームは、前記コントロール・エンドが前記第一アームから延出されて第二長さを有し、前記ハンドルは前記第一アームから延出されることを特徴とする、請求項１に記載のバンドリール持ち上げ装置。
【請求項５】
前記機体には、凹設空間を延設し、前記可動機構が収容位置にあるとき、前記凹設空間内に前記推力生成部を収納させてなることを特徴とする、請求項１に記載のバンドリール持ち上げ装置。
【考案の詳細な説明】
【技術分野】
【０００１】
本考案は、バンドリール持ち上げ装置に係り、特に、人の腰の高さにバンドリールを持ち上げると共に、片手で移動し位置決めし、しかもメインテナンスや交換等を迅速に行うことができるバンドリール持ち上げ装置に関する。
【背景技術】
【０００２】
公知の梱包機８０は図１１と図１２に示すように、機体８１と、持ち上げができないバンドリール８２とを含む。前記機体８１には、開口８１１とドア８１２を設け、梱包機８０は、前記バンドリールがバンド８２１等の帯状シートを捲回することにより、被梱包物に対して梱包作業を行うようになっている。
【０００３】
該バンドリール８２は梱包作業に必要なバンド８２１を供給し、バンド８２１が切れた場合、空又は切れ寸前のバンドリール８２を取り出してから、新たなバンド８２１を装着するようになっている。この作業は、バンド交換作業と呼ぶ。
【０００４】
バンドリール８２は一般的に使用者の膝の高さに設置されており、使用者がバンド８２１を取り替えるとき、しゃがんだ体勢で、上記バンド交換作業を行わればならず、非常に不便である。
【０００５】
また、梱包機８０に前記バンドリール８２上のバンド８２１を供給するとき、バンド８２１が何らかの障害でバンド詰り、破裂又は波打ちを起こす。その際、使用者がしゃがんで、ドア８１２を開けて、検査を行わればならない。しかし、機体８１の内部が暗く、且つ使用者がその中へ手を伸ばし、しゃがんだ状態で作業を行う必要があるため、非常に不便である。しかも、必要に応じてバンドリール８２を取り出して観察する必要もあるため、検査・修理作業に極めて不便である。
【考案の概要】
【考案が解決しようとする課題】
【０００６】
そこで、本考案の主な目的は、人の腰の高さにバンドリールを持ち上げると共に、片手で移動し位置決めし、しかもメインテナンスや交換等を迅速に行うことができるバンドリール持ち上げ装置を提供することにある。
【０００７】
また、本考案の次の目的は、しゃがんで暗い機体の内部で行わればならないメインテナンスや修理作業を不要とするバンドリール持ち上げ装置を提供することにある。
【課題を解決するための手段】
【０００８】
上記課題を解決するために、本考案のバンドリール持ち上げ装置は、機体と、可動機構と、推力生成部とを含むバンドリール持ち上げ装置であって、前記機体は、中空収容室と、開口部と、第一枢支部と、第二枢支部とを具備し、前記可動機構は、回転枢軸と、第一アームと、第二アームとを具備し、前記第一枢支部には、前記回転枢軸を所定角度で回転可能に枢設し、前記第一アームは第一長さを有すると共に、バンドを収容するためのバンドリールを回転することができ、前記第二アームはコントロール・エンドと第二長さを有すると共に、前記第二長さを前記第一長さより小さくし、前記推力生成部は、推力ロッドと本体とを具備し、前記コントロール・エンドには、前記推力ロッドを連結し、前記第二枢支部には、前記本体を枢設する一方、前記可動機構は収容位置、臨界位置、持ち上げ位置を有し、前記収容位置にあるとき、前記推力ロッドが所定の正方向にモーメントを発生することにより、前記第二アームを前記機体の内部へ押動すると共に、前記バンドリールを前記中空収容室内に進入させ、前記臨界位置にあるとき、前記推力ロッドが前記第二アームに対してモーメントを発生せず、前記持ち上げ位置にあるとき、前記推力ロッドが所定の負方向にモーメントを発生することにより、前記第二アームを前記機体の外部へ押動すると共に、前記バンドリールを前記中空収容室から露出させて人の腰の高さに持ち上げることを特徴とするものである。
【考案の効果】
【０００９】
本考案のバンドリール持ち上げ装置によれば、次のような効果がある。
（１）可動機構にバンドリールを設け、この可動機構の移動によって、バンドリールを人の腰の高さに持ち上げることができる。したがって、バンド交換作業に腰を曲げる必要がなくなる。
【００１０】
（２）可動機構にハンドルを設けると共に、機体と可動機構との間に推力生成部を設置することにより、片手でハンドルを引くと、可動機構が連動され、機体の内部へ移動し、その際、推力生成部が前記可動機構を機体の内部へ押動する推力を生成する。また、可動機構が機体の外部へ押動されるとき、推力生成部が前記可動機構を機体の外部、及び人の腰の高さに押動する推力を生成する。したがって、片手でハンドリールを移動し位置決めすることができる。
【００１１】
（３）可動機構を機体の外部に完全に移動することができる。したがって、日光や照明が充分である状況の下でバンド交換・修理作業を迅速に行うことができる。しかも、この作業の全過程においては、機体内の配線・ケーブルや汚れものと接触したり、この接触によって配線・ケーブルが緩み離脱したり、手を怪我したりする心配はない。
【図面の簡単な説明】
【００１２】
【図１】本考案の可動機構が収容位置にあるときの斜視図である（実施例１）。
【図２】図１における可動機構が収容位置にあるときの側面図である。
【図３】図１における可動機構が臨界位置にあるときの側面図である。
【図４】図１における可動機構が持ち上げ位置にあるときの側面図である。
【図５】本考案の可動機構が持ち上げ位置にあるときの斜視図である（実施例１）。
【図６】図５の一部拡大図である。
【図７】本考案の可動機構が収容位置にあるときの斜視図である（実施例２）。
【図８】本考案の可動機構が持ち上げ位置にあるときの斜視図である（実施例２）。
【図９】図８の一部拡大図である。
【図１０】本考案の可動機構が収容位置にあるときの斜視図である（実施例３）。
【図１１】公知の梱包機の概略斜視図である。
【図１２】公知の梱包機におけるバンド交換作業の概略説明図である。
【考案を実施するための形態】
【００１３】
以下、本考案の実施の形態を図面に基づいて説明する。
【００１４】
図１乃至図２には、本考案の実施例１を示す。本考案のバンドリール持ち上げ装置は、機体１０と、可動機構２０と、推力生成部３０とを含む。
【００１５】
前記機体１０は、一つの中空収容室１１と、一つの開口部１２と、一つの第一枢支部１３と、一つの第二枢支部１４とを具備する。
【００１６】
前記可動機構２０は、一つの回転枢軸２１と、一つの第一アーム２２と、一つの第二アーム２３と、と一つのハンドル２４を具備する。前記第一枢支部１３には、前記回転枢軸２１を所定角度で回転可能に枢設し、前記第一アーム２２は第一長さＬ１を有すると共に、バンド２２２を収容するためのバンドリール２２１を回転することができる。前記第二アーム２３は、コントロール・エンド２３１と、第二長さＬ２と、を有すると共に、前記第二長さＬ２は前記第一長さＬ１より小さくなっている。
【００１７】
前記推力生成部３０は、一つの推力ロッド３１と、本体３２とを具備する。前記コントロール・エンド２３１には、前記推力ロッド３１を連結し、前記第二枢支部１４には、前記本体３２を枢設する。
【００１８】
前記可動機構２０は収容位置Ｐ１、臨界位置Ｐ２（図３を参照）、持ち上げ位置Ｐ３（図４を参照）を有し、前記収容位置Ｐ１（図２を参照）にあるとき、前記推力ロッド３１が所定の正方向に力のモーメントを発生することにより、前記第二アーム２３を前記機体１０の内部へ押動すると共に、前記バンドリール２２１を前記中空収容室１１内に進入させる。
【００１９】
また、前記臨界位置Ｐ２にあるとき、前記推力ロッド３１が前記第二アーム２３に対して力のモーメントを発生しない。さらに、前記持ち上げ位置Ｐ３にあるとき、前記推力ロッド３１が所定の負方向に力のモーメントを発生することにより、前記第二アーム２３を前記機体１０の外部へ押動すると共に、前記バンドリール２２１を前記中空収容室１１（図５を参照）から露出させて、概ね人の腰の高さに持ち上げる。
【００２０】
実務上、前記第一枢支部１３は、一対の枢支耳（図１を参照）、又は一対の軸受けの何れか一つの支持部材により構成される。
【００２１】
前記第一アーム２２は、前記回転枢軸２１から延出されて第一長さＬ１を有し、前記コントロール・エンド２３１が前記回転枢軸２１（図１を参照）と第１アーム２２（図７乃至図９に示す実施例２を参照）から延出されて第二長さＬ２を有する。前記ハンドル２４は前記第一アーム２２から延出される。
【００２２】
前記機体１０は、凹設空間１０１（図２、図６及び図９を参照）を含む。前記可動機構２０が収容位置Ｐ１にあるとき、前記凹設空間内１０１に前記推力生成部３０を収納するようなっている。
【００２３】
以下に本考案の作用・動作について説明する。図１と図２に示すように、前記可動機構２０が収容位置Ｐ１にあるとき、前記推力ロッド３１が前記第二アーム２３を前記機体１０の内部へ押動しておく。その際、前記バンドリール２２１上のバンド２２２が機体１０上へ引っ張り出され、梱包がなされる（この部分は、公知の梱包機と同一であるため、省略する）。
【００２４】
一方、前記バンド２２２が詰りや破裂を起こしたり、切れたりするとき、又はバンドリール２２１が動かなくなるとき、ハンドル２４を機体１０の内部から外部へ引き、前記ハンドル２４は第一アーム２２を介して、回転枢軸２１を第一枢支部１３において回動する。同時に、前記本体３２は第二枢支部１４において回動し、且つ第二アーム２３が前記推力ロッド３１を押圧する。そして、前記推力ロッド３１が前記本体３２に対して収縮することにより、前記可動機構２０が収容位置Ｐ１から臨界位置Ｐ２へ移動する（図３を参照）。
【００２５】
前記ハンドル２４を継続的に動かすと、前記可動機構２０が臨界位置Ｐ２から離れ、前記推力ロッド３１が前記本体３２に対して相対的に伸長する。そして、推力ロッド３１が第二アーム２３を機体１０の外部へ押動し、前記第二アーム２３は回転枢軸２１を介して、第一アーム２２上にあるバンドリール２２１を連動し、楽に機体１０の外部に引き出し、人の腰の高さの近くに一時的に位置決めしておく（図４に示すように、前記可動機構２０が持ち上げ位置にある）。これにより、バンド２２２やバンドリール２２１の交換や検査が便利となる。なお、バンドリール２２１を機体１０の中空収容室１１内へ押し、上記と逆の操作を行うことにより、バンドリール２２１をセットすることができる。
【符号の説明】
【００２６】
本考案
１０    機体
１０１  凹設空間
１１    中空収容室
１２    開口部
１３    第一枢支部
１４    第二枢支部
２０    可動機構
２１    回転枢軸
２２    第一アーム
２２１  バンドリール
２２２  バンド
２３    第二アーム
２３１  コントロール・エンド
２４    ハンドル
３０    推力生成部
３１    推力ロッド
３２    本体
Ｌ１    第一長さ
Ｌ２    第二長さ
Ｐ１    収容位置
Ｐ２    臨界位置
Ｐ３    持ち上げ位置
従来技術
８０    梱包機
８１    機体
８１１  開口
８１２  ドア
８２    バンドリール（持ち上げ不能）
８２１  バンド
９０    被梱包物
【図１】
0003150998.tif 000003
【図２】
0003150998.tif 000004
【図３】
0003150998.tif 000005
【図４】
0003150998.tif 000006
【図５】
0003150998.tif 000007
【図６】
0003150998.tif 000008
【図７】
0003150998.tif 000009
【図８】
0003150998.tif 000010
【図９】
0003150998.tif 000011
【図１０】
0003150998.tif 000012
【図１１】
0003150998.tif 000013
【図１２】
0003150998.tif 000014
【手続補正書】
【提出日】平成21年4月6日(2009.4.6)
【手続補正１】
【補正対象書類名】明細書
【補正対象項目名】００２０
【補正方法】変更
【補正の内容】
【００２０】
実務上、前記第一枢支部１３は、一対の枢支耳（図１及び図１０を参照）、又は一対の軸受けの何れか一つの支持部材により構成される。